(57)【要約】【課題】複数の設定情報を統合する画像形成装置及び画像形成プログラムを提供する。【解決手段】画像形成装置１は、複数の設定項目を有する設定単位情報を複数有する設定情報１１１から、複数の設定項目を有する設定単位情報を複数選択する設定情報選択手段１０２と、設定情報選択手段１０２が選択した複数の設定単位情報の複数の設定項目同士を比較し、内容が異なる設定項目の数が予め定めた数より少ない場合に、複数の設定単位情報を統合する設定情報統合手段１０４とを有する。【選択図】図１
2014236418.tif 000002
【特許請求の範囲】
【請求項１】
複数の設定項目を有する設定単位情報を複数選択する選択手段と、
前記選択手段が選択した前記複数の設定単位情報の複数の設定項目同士を比較し、内容が異なる設定項目の数が予め定めた数より少ない場合に、前記複数の設定単位情報を統合する統合手段とを有する画像形成装置。
【請求項２】
前記統合手段は、前記内容が異なる設定項目について、統合前の設定項目の値のいずれかから選択された値を統合後の設定項目の値とする請求項１に記載の画像形成装置。
【請求項３】
前記設定単位情報を呼び出す呼出手段をさらに有し、
前記統合手段は、前記内容が異なる設定項目について、前記呼出手段によって前記統合された設定単位情報が呼び出された際に、統合前の設定項目の値のいずれかから選択するように統合する請求項２に記載の画像形成装置。
【請求項４】
コンピュータを、
複数の設定項目を有する設定単位情報を複数選択する選択手段と、
前記選択手段が選択した前記複数の設定単位情報の複数の設定項目を比較し、内容が異なる設定項目の数が予め定めた数より少ない場合に、前記複数の設定単位情報を統合する統合手段として機能させるための画像形成プログラム。
【発明の詳細な説明】
【技術分野】
【０００１】
本発明は、画像形成装置及び画像形成プログラムに関する。
【背景技術】
【０００２】
従来の技術として、予め作成された設定情報を表示して、選択された設定情報に基づいて処理を実行する画像形成装置が提案されている（例えば、特許文献１参照）。
【０００３】
特許文献１に開示された画像形成装置は、印刷機能、光学走査機能等の設定を予め記憶し、利用者が画像形成装置を利用する際に表示部に予め作成された設定情報を表示して、利用者が当該設定情報から設定を変更した場合には変更した差分を履歴として記憶し、次回に利用者が画像形成装置を利用する際には、表示部に予め作成された設定情報と、履歴として当該設定情報との差分を表示する。
【先行技術文献】
【特許文献】
【０００４】
【特許文献１】特開２０１２−１７１１７０号公報
【発明の概要】
【発明が解決しようとする課題】
【０００５】
本発明の目的は、複数の設定情報を統合する画像形成装置及び画像形成プログラムを提供することにある。
【課題を解決するための手段】
【０００６】
本発明の一態様は、上記目的を達成するため、以下の画像形成装置及び画像形成プログラムを提供する。
【０００７】
［１］複数の設定項目を有する設定単位情報を複数選択する選択手段と、
前記選択手段が選択した前記複数の設定単位情報の複数の設定項目同士を比較し、内容が異なる設定項目の数が予め定めた数より少ない場合に、前記複数の設定単位情報を統合する統合手段とを有する画像形成装置。
【０００８】
［２］前記統合手段は、前記内容が異なる設定項目について、統合前の設定項目の値のいずれかから選択された値を統合後の設定項目の値とする前記[１]に記載の画像形成装置。
【０００９】
［３］前記設定単位情報を呼び出す呼出手段をさらに有し、
前記統合手段は、前記内容が異なる設定項目について、前記呼出手段によって前記統合された設定単位情報が呼び出された際に、統合前の設定項目の値のいずれかから選択するように統合する前記[２]に記載の画像形成装置。
【００１０】
［４］コンピュータを、
複数の設定項目を有する設定単位情報を複数選択する選択手段と、
前記選択手段が選択した前記複数の設定単位情報の複数の設定項目を比較し、内容が異なる設定項目の数が予め定めた数より少ない場合に、前記複数の設定単位情報を統合する統合手段として機能させるための画像形成プログラム。
【発明の効果】
【００１１】
請求項１又は４に係る発明によれば、複数の設定情報を統合することができる。
【００１２】
請求項２に係る発明によれば、内容が異なる設定項目について、統合前の設定項目の値のいずれかから選択された値を統合後の設定項目の値として、複数の設定情報を統合することができる。
【００１３】
請求項３に係る発明によれば、内容が異なる設定項目について、呼出手段によって統合された設定単位情報が呼び出された時に、統合前の設定項目の値のいずれかから選択するようにすることができる。
【図面の簡単な説明】
【００１４】
【図１】図１は、実施の形態に係る画像形成装置の構成の一例を示すブロック図である。
【図２】図２は、設定情報の構成の一例を示す概略図である。
【図３】図３（ａ）及び（ｂ）は、実施の形態に係る画像形成装置の設定情報統合動作の一例を説明するための概略図である。
【図４】図４は、実施の形態に係る画像形成装置の設定情報統合動作の他の例を説明するための概略図である。
【図５】図５は、実施の形態に係る統合後の設定情報の構成の一例を示す概略図である。
【図６】図６（ａ）及び（ｂ）は、実施の形態に係る画像形成装置の設定情報統合動作の他の例を説明するための概略図である。
【図７】図７は、実施の形態に係る画像形成装置の設定情報統合動作の他の例を説明するための概略図である。
【図８】図８は、実施の形態に係る画像形成装置の設定情報統合動作の他の例を説明するための概略図である。
【図９】図９は、実施の形態に係る画像形成装置の設定情報呼出動作の一例を説明するための概略図である。
【図１０】図１０は、実施の形態に係る画像形成装置の設定情報呼出動作の他の例を説明するための概略図である。
【図１１】図１１は、実施の形態に係る画像形成装置の設定情報統合動作の一例を示すフローチャートである。
【発明を実施するための形態】
【００１５】
［実施の形態］
（画像形成装置の構成）
図１は、実施の形態に係る画像形成装置の構成の一例を示すブロック図である。
【００１６】
画像形成装置１は、プリンタ、コピー、スキャナ、ファクシミリの機能を有する複合機であって、ＣＰＵ（Ｃｅｎｔｒａｌ  Ｐｒｏｃｅｓｓｉｎｇ  Ｕｎｉｔ）等から構成され、各部を制御するとともに、各種のプログラムを実行する制御部１０と、フラッシュメモリ等の記憶媒体から構成され情報を記憶する記憶部１１と、文字や画像等を表示する表示部１２と、画像形成装置１を操作するための操作部１３と、用紙に印刷を実行する印刷機能部１４と、ファクシミリの規格により情報を送受信するＦＡＸ機能部１５と、紙文書２を光学走査して画像情報を生成する光学走査機能部１６とを備える。
【００１７】
制御部１０は、後述する画像形成プログラム１１０を実行することで、設定情報作成手段１００、設定情報一覧表示手段１０１、設定情報選択手段１０２、統合可否判断手段１０３、設定情報統合手段１０４及び設定情報呼出手段１０５等として機能する。
【００１８】
設定情報作成手段１００は、印刷機能部１４、ＦＡＸ機能部１５、光学走査機能部１６の複数の設定項目の組み合わせである設定単位情報をプリセットとして作成する。設定情報作成手段１００は、作成された設定単位情報を記憶部１１の設定情報１１１に登録する。つまり、設定情報１１１は、単数又は複数の設定単位情報を含むものである。
【００１９】
設定情報一覧表示手段１０１は、設定情報１１１に含まれる単数又は複数の設定単位情報をアイコンを用いて表示部１２に一覧表示する。
【００２０】
設定情報選択手段１０２は、設定情報一覧表示手段１０１によって表示部１２に表示されたアイコンから、利用者の操作部１３に対する操作内容に応じて、利用者が統合を所望するアイコンを少なくとも２つ選択する。
【００２１】
統合可否判断手段１０３は、設定情報選択手段１０２が選択したアイコンに該当する設定単位情報が互いに統合可能か否かを判断する。
【００２２】
設定情報統合手段１０４は、統合可否判断手段１０３が統合可能と判断した設定単位情報について、設定単位情報に含まれる設定項目同士を統合して新たな設定単位情報を生成する。
【００２３】
設定情報呼出手段１０５は、設定情報一覧表示手段１０１によって表示部１２に表示されたアイコンを利用者の操作部１３に対する操作内容に応じて選択することで、当該アイコンに対応した設定単位情報を呼び出す。
【００２４】
記憶部１１は、制御部１０を上述した各手段１００−１０５として動作させる画像形成プログラム１１０及び設定情報１１１等を記憶する。
【００２５】
図２は、実施の形態に係る設定情報１１１の構成の一例を示す概略図である。
【００２６】
設定情報１１１は、設定単位情報を識別するためのＩＤを示す設定ＩＤと、設定単位情報に付与された名称を示す設定名称と、設定単位情報を一覧表示する際のアイコン画像を示すアイコン画像と、設定単位情報の内容を示す設定内容と、設定のカテゴリを示すカテゴリとを有する。
【００２７】
（画像形成装置の動作）
次に、本実施の形態の作用を、（１）事前登録動作、（２）設定情報統合動作、（３）設定情報呼出動作に分けて説明する。
【００２８】
（１）事前登録動作
まず、画像形成装置１の利用者は、画像形成装置１の操作部１３を操作して又は外部の装置から画像形成装置１にアクセスして、設定単位情報の登録を行う。
【００２９】
利用者は、設定単位情報の登録内容として、図２に示すように、設定ＩＤと、設定名称と、アイコン画像と、設定内容と、カテゴリとを決定する。
【００３０】
設定情報作成手段１００は、決定された設定単位情報の設定項目を受け付けて、記憶部１１の設定情報１１１に登録する。
【００３１】
（２）設定情報統合動作
まず、利用者は操作部１３を操作して、設定情報１１１の一覧を表示するよう要求する。
【００３２】
設定情報一覧表示手段１０１は、要求に応じて設定情報１１１に含まれる設定単位情報をアイコンを用いて一覧表示する。
【００３３】
図３（ａ）及び（ｂ）は、実施の形態に係る画像形成装置１の設定情報統合動作の一例を説明するための概略図である。
【００３４】
図３（ａ）に示す画面１２０は、設定情報１１１に含まれる設定単位情報をアイコン１１１ａ１、１１１ａ２を用いて一覧表示したものである。
【００３５】
図３（ｂ）に示すように、画面１２１において利用者は操作部１３を操作して、アイコン１１１ａ１及び１１１ａ２をカーソル１０２ａで選択して重ねる。
【００３６】
図１１は、実施の形態に係る画像形成装置の設定情報統合動作の一例を示すフローチャートである。
【００３７】
まず、設定情報選択手段１０２は、利用者の操作に応じてアイコン１１１ａ１及び１１１ａ２が重ねられたことを検知すると（Ｓ１）、対応する設定単位情報を選択して、その内容を読み込む（Ｓ２）。
【００３８】
ここでは、一例として、図２に示す設定ＩＤが「００１」と「００２」の設定単位情報が選択されたものとし、これらの設定内容は図３（ａ）に示すものとなる。
【００３９】
次に、統合可否判断手段１０３は、図３（ｂ）に示すように、設定内容の設定項目同士を比較する（Ｓ３）。図示する例では、「カラーモード白黒」と「カラーモード自動」とが異なっており、「両面」及び「１アップ」…は一致している。
【００４０】
従って、統合可否判断手段１０３は、設定ＩＤが「００１」と「００２」の設定単位情報の設定内容の異なる設定項目の数は「１」と認識し、閾値が「１」である場合にこれと比較し（Ｓ４）、閾値以下であると判断した場合（Ｓ５；Ｙｅｓ）、統合した設定単位情報のアイコン、設定名の入力及び異なる設定項目の扱いをどうするか受け付ける画面を表示する（Ｓ６）
【００４１】
図４は、実施の形態に係る画像形成装置１の設定情報統合動作の他の例を説明するための概略図である。
【００４２】
図４に示す画面１２２は、統合した設定単位情報のアイコン、設定名の入力及び異なる設定項目の扱いをどうするか受け付ける画面１０３ａを表示するものであり、アイコンの変更を受け付けるボタン１０３ａ１と、設定名の入力を受け付ける欄１０３ａ２と、差分の扱いを選択するための選択肢を表示するメニュー１０３ａ３と、上記１０３ａ１−１０３ａ３で選択した内容で決定するためのボタン１０３ａ４を有する。
【００４３】
利用者は、ボタン１０３ａ１を操作してアイコンを変更し、欄１０３ａ２に設定名「いつものコピー」を入力し、メニュー１０３ａ３に表示された選択肢から差分の扱いとして「統合前の設定項目から選択する」を選択する。
【００４４】
設定情報統合手段１０４は、設定ＩＤが「００１」と「００２」の設定単位情報を統合し、図２に示す設定ＩＤが「００６」の設定単位情報とする（Ｓ７）。つまり、設定ＩＤが「００１」と「００２」の設定単位情報を削除して、設定ＩＤが「００６」の設定単位情報を新たに作成する。
【００４５】
図５は、実施の形態に係る統合後の設定情報の構成の一例を示す概略図である。
【００４６】
設定情報１１１ｎｅｗは、図２に示す設定情報１１１の設定ＩＤが「００１」と「００２」の設定単位情報を削除して、設定ＩＤが「００１」と「００２」の設定単位情報を統合したものとして設定ＩＤが「００６」の設定単位情報を新たに追加したものである。
【００４７】
また、他の例として、設定単位情報同士が統合されない場合について説明する。
【００４８】
図６（ａ）及び（ｂ）は、実施の形態に係る画像形成装置１の設定情報統合動作の他の例を説明するための概略図である。
【００４９】
図６（ａ）に示す画面１２３は、設定情報１１１に含まれる設定単位情報をアイコン１１１ａ１、１１１ａ３を用いて一覧表示したものである。
【００５０】
図６（ｂ）に示すように、画面１２４において利用者は操作部１３を操作して、アイコン１１１ａ１及び１１１ａ３をカーソル１０２ａで選択して重ねる。
【００５１】
ここでは、一例として、図２に示す設定ＩＤが「００１」と「００３」の設定単位情報が選択されたものとし、これらの設定内容は図６（ａ）に示すものとなる。
【００５２】
次に、統合可否判断手段１０３は、図６（ｂ）に示すように、設定内容の設定項目同士を比較する（Ｓ３）。図示する例では、「カラーモード白黒」と「カラーモード自動」、「両面」と「片面」、「１アップ」と「２アップ」が異なっている。
【００５３】
従って、統合可否判断手段１０３は、設定ＩＤが「００１」と「００３」の設定単位情報の設定内容の異なる設定項目の数は「３」と認識し、閾値「１」と比較し（Ｓ４）、閾値以下でないと判断し（Ｓ５；Ｎｏ）、設定情報を統合しない（Ｓ８）。このとき、統合可否判断手段１０３は、統合しない旨を以下に示すように画面に表示する。
【００５４】
図７は、実施の形態に係る画像形成装置１の設定情報統合動作の他の例を説明するための概略図である。
【００５５】
図７に示す画面１２５は、統合しない旨を示す画面１０３ｂを表示するものであり、統合できない理由１０３ｂ１と、当該理由を承諾して画面１０３ｂを閉じるためのボタン１０３ｂ２とを有する。
【００５６】
なお、上記したように閾値が「１」の場合は、異なる設定項目の数が「２」以上であると設定単位情報を統合しないが、以下に説明する場合のように設定項目に相互関係がある場合は異なる設定項目の数え方を変更する。
【００５７】
図８は、実施の形態に係る画像形成装置１の設定情報統合動作の他の例を説明するための概略図である。
【００５８】
図８に示す例では、図２に示す設定ＩＤが「００４」と「００５」の設定単位情報が選択されたものとし、これらの設定内容は図示するとおりである。
【００５９】
次に、統合可否判断手段１０３は、設定内容の設定項目同士を比較し、「−（設定なし）」と「高圧縮処理あり」、「ＴＩＦＦ」と「ＰＤＦ」が異なっていると判断する。
【００６０】
従って、統合可否判断手段１０３は、設定ＩＤが「００４」と「００５」の設定単位情報の設定内容の異なる設定項目の数は「２」と判断するのが通常動作であるが、例えば、ファイルフォーマット「ＴＩＦＦ」に高圧縮処理のあり／なしの指定ができない仕様である場合は、ファイルフォーマットと高圧縮処理との間に相互関係があると判断し、異なる設定項目の数は「１」と判断して、これらの設定単位情報を統合すると判断する。
【００６１】
次に、統合された設定単位情報の呼び出し動作について説明する。
【００６２】
（３）設定情報呼出動作
図９は、実施の形態に係る画像形成装置１の設定情報呼出動作の一例を説明するための概略図である。
【００６３】
図９に示す画面１２６は、設定情報１１１ｎｅｗに含まれる設定ＩＤ「００６」の設定単位情報をアイコン１１１ａ３を用いて一覧表示したものである。
【００６４】
図示するように、画面１２６において利用者は操作部１３を操作して、アイコン１１１ａ３をカーソル１０５ａで選択することで設定情報の内容を呼び出すよう要求する。
【００６５】
設定情報呼出手段１０５は、利用者の操作に応じてアイコン１１１ａ３が選択されたことを検知すると、設定情報１１１ｎｅｗから設定ＩＤ「００６」の設定単位情報を呼び出すが、設定内容に「ｏｒ」が含まれる場合には差分の扱いとして「統合前の設定項目から選択する」ものであると判断し、統合前の設定項目「カラーモード自動」と「カラーモード白黒」とを表示し、いずれの設定項目を用いるか利用者に確認する。
【００６６】
図１０は、実施の形態に係る画像形成装置１の設定情報呼出動作の他の例を説明するための概略図である。
【００６７】
図１０に示す画面１２７は、統合前の設定項目を選択するための画面１０５ｂを表示するものであり、設定項目「カラーモード自動」を選択するためのボタン１０５ａ１と、設定項目「カラーモード白黒」を選択するためのボタン１０５ａ２とを有する。
【００６８】
利用者は、いずれかのボタン１０５ａ１又は１０５ａ２を選択し、設定情報呼出手段１０５は選択されたボタンに対応する設定項目で以降の処理を実行する。
【００６９】
（実施の形態の効果）
上記した実施の形態によると、複数の設定単位情報の設定項目を比較し、異なる設定項目の数が予め定めた閾値以下である場合に、複数の設定情報を統合するようにしたため、似通った内容の設定単位情報が複数ある場合にはこれらを統合し、設定情報の一覧表示を利用者にとって見やすいものとし、設定情報の一覧表示に対する操作性が改善される。
【００７０】
［他の実施の形態］
なお、本発明は、上記実施の形態に限定されず、本発明の趣旨を逸脱しない範囲で種々な変形が可能である。例えば、利用者がアイコンを選択した場合だけでなく、異なる設定項目の数が少ない設定単位情報を自動で検索し、統合するものであってもよい。
【００７１】
上記実施の形態では制御部１０の各手段１００〜１０５の機能をプログラムで実現したが、各手段の全て又は一部をＡＳＩＣ等のハードウエアによって実現してもよい。また、上記実施の形態で用いたプログラムをＣＤ−ＲＯＭ等の記録媒体に記憶して提供することもできる。また、上記実施の形態で説明した上記ステップの入れ替え、削除、追加等は本発明の要旨を変更しない範囲内で可能である。
【符号の説明】
【００７２】
１     画像形成装置
２     紙文書
１０   制御部
１１   記憶部
１２   表示部
１３   操作部
１４   印刷機能部
１５   ＦＡＸ機能部
１６   光学走査機能部
１００ 設定情報作成手段
１０１ 設定情報一覧表示手段
１０２ 設定情報選択手段
１０３ 統合可否判断手段
１０４ 設定情報統合手段
１０５ 設定情報呼出手段
１１０ 画像形成プログラム
１１１ 設定情報
１１１ｎｅｗ  設定情報
【図１】
2014236418.tif 000003
【図２】
2014236418.tif 000004
【図３】
2014236418.tif 000005
【図４】
2014236418.tif 000006
【図５】
2014236418.tif 000007
【図６】
2014236418.tif 000008
【図７】
2014236418.tif 000009
【図８】
2014236418.tif 000010
【図９】
2014236418.tif 000011
【図１０】
2014236418.tif 000012
【図１１】
2014236418.tif 000013